(57)【要約】【課題】本発明は環境に優しくて高効率のホテル用煙道清掃装置を開示した。【解決手段】頭部と、主体と、旋転体と、後部分とを含み、前記主体は前記頭部の右側に位置し、前記旋転体は前記主体の右側に位置し、前記後部分は前記旋転体の右側に位置し、前記頭部は回転できるように設置され、前記頭部の中には槌打空間が設置され、前記槌打空間の中には煙道にある塊状になった汚れを叩くことができる槌打機構が設置され、前記槌打機構の左側は外部空間に伸びて煙道と接触することができ、本発明はホテルの台所の煙道を清掃することができ、使用が便利で、煙道の清掃が難しい問題を解決でき、装置を作業者が清掃できない煙道の中のところに置き、そして電源を入れればよく、装置は自動的に煙道の中で移動でき、装置の頭部内の槌打機構は煙道内の長い間積もりに積もった塊状の汚れを砕くことができる。【選択図】図１
2020197368.tif 000002
【特許請求の範囲】
【請求項１】
頭部と、主体と、旋転体と、後部分とを含み、
前記主体は前記頭部の右側に位置し、前記旋転体は前記主体の右側に位置し、前記後部分は前記旋転体の右側に位置し、前記頭部は回転できるように設置され、前記頭部の中には槌打空間が設置され、前記槌打空間の中には煙道にある塊状になった汚れを叩くことができる槌打機構が設置され、前記槌打機構の左側は外部空間に伸びて煙道と接触することができ、前記主体の外周面には環状ブレードが固定的に設置され、前記環状ブレードは前記槌打機構の槌打によって生じたゴミを除去することができ、前記主体の中には貯水箱が装着され、
前記主体の中には押圧空間が設置され、前記押圧空間の中には上下に押圧できる押圧機構が設置され、前記貯水箱の中には洗浄液が貯蔵され、前記旋転体は回転できるように設置され、前記旋転体の外周面には煙道を清掃できる清掃機構が設置され、前記後部分の外周面には二回の清掃を行って煙道の水をきれいに拭き取れる拭き取り機構が設置され、前記後部分の中には動力空間が設置され、前記動力空間の中には装置全体に動力を提供できる動力機構が設置され、前記槌打空間と前記動力空間との間の内壁の中には横軸が回転できるように設置され、前記横軸は左右に伸びるように設置されていることを特徴とする環境に優しくて高効率のホテル用煙道清掃装置。
【請求項２】
前記槌打機構は対称的に設置された上下二つのコンロッドを含み、二つの前記コンロッドの中間の曲がり部分はいずれも前記槌打空間の後壁にヒンジで連結され、二つの前記コンロッドの左側部分はいずれも外部空間に伸び、且つ二つの前記コンロッドの左側末端にはいずれも槌打ボールが固定的に設置され、二つの前記コンロッドのもう片側末端と前記槌打空間の左壁との間にはいずれも第一ばねが装着され、前記横軸の左方に伸びている部分は前記槌打空間の左壁と回転できるように連結され、前記槌打空間の中に位置する前記横軸の外周面には第一傘歯車が固定的に設置され、前記槌打空間の前後端壁には前後対称的に設置された二つの旋転軸が回転できるように設置され、二つの前記旋転軸の末端にはいずれも第二傘歯車が設置され、二つの前記第二傘歯車はいずれも前記第一傘歯車と噛み合い、二つの前記旋転軸の外周面には揺れ動きロッドが固定的に設置され、前記揺れ動きロッドの末端にはいずれも衝撃ボールが固定的に設置され、前記衝撃ボールはいずれも前記コンロッドの右端と当接していることを特徴とする請求項１に記載の環境に優しくて高効率のホテル用煙道清掃装置。
【請求項３】
前記槌打空間の右側には矩形空間が設置され、前記矩形空間の内壁には歯が付き、前記横軸は前記矩形空間を貫通し、前記矩形空間の中に位置する前記横軸の外周面には第一歯車が固定的に設置され、前記第一歯車は前記矩形空間の内壁と噛み合っていることを特徴とする請求項２に記載の環境に優しくて高効率のホテル用煙道清掃装置。
【請求項４】
前記押圧機構は対称的に設置された上下二つの水噴射管を含み、二つの前記水噴射管の右端はいずれも前記貯水箱と連通するように設置され、二つの前記水噴射管の片側末端と外部空間との間にはいずれも減衰バルブが装着され、二つの前記水噴射管のもう片側末端にはピストンが装着され、前記横軸は前記押圧空間を貫通し、前記横軸において前記押圧空間の中に位置する部分の外周面には遠心ディスクが固定的に設置され、前記押圧空間には対称的に設置された二つのスライドブロックが上下にスライドできるように設置され、前記スライドブロックと前記ピストンとの間にはいずれも第二ばねが装着され、前記主体の外周面には上下対称的に設置された二つの従動車輪が設置されていることを特徴とする請求項１に記載の環境に優しくて高効率のホテル用煙道清掃装置。
【請求項５】
前記清掃機構は前記旋転体の外周面に固定的に設置された清掃海綿を含み、前記旋転体の中には環状ガス管が装着され、前記環状ガス管には空気ポンプが連結され、前記旋転体の外周面の前後上下四つの側にはそれぞれガス管が固定的に設置され、四つの前記ガス管はいずれも前記環状ガス管と連通するように設置され、前記旋転体の中には方形空間が設置され、前記方形空間の内壁には歯が付き、前記横軸は前記方形空間を貫通し、前記横軸において前記方形空間に位置する部分の外周面には第二歯車が固定的に設置され、前記第二歯車は前記方形空間の内壁と噛み合うように設置されていることを特徴とする請求項１に記載の環境に優しくて高効率のホテル用煙道清掃装置。
【請求項６】
前記拭き取り機構は拭き取りブロックを含み、前記旋転体の上下両側には対称的に設置された二つのスライド空間が設置され、二つの前記スライド空間の中にはいずれも連結ブロックがスライドできるように設置され、前記連結ブロックと前記スライド空間との間にはいずれも第三ばねが装着され、前記連結ブロックの末端はいずれも前記拭き取りブロックと固定的に連結され、前記旋転体の中には伝動空間が設置され、前記横軸は前記伝動空間を貫通し、前記横軸において前記伝動空間に位置する部分の外周面には第三傘歯車が固定的に設置され、前記伝動空間と二つの前記スライド空間との間の内壁の中にはいずれも短軸が回転できるように設置され、前記短軸は上下に伸びるように設置され、前記短軸の片側末端はいずれも前記スライド空間の中に伸び、且つ前記短軸の片側末端にはいずれも揺動トレイが固定的に設置され、前記短軸のもう片側末端にはいずれも第四傘歯車が固定的に設置され、前記第四傘歯車はいずれも前記第三傘歯車と噛み合っていることを特徴とする請求項１に記載の環境に優しくて高効率のホテル用煙道清掃装置。
【請求項７】
前記動力機構は動力空間を含み、前記動力空間は前記伝動空間の右側に位置し、前記動力空間の右壁にはモーターが装着され、前記横軸の右方に伸びている部分は前記動力空間の中に伸び、且つ前記横軸の右方に伸びている部分の末端は前記モーターと動力が伝達できるように連結され、前記横軸において前記動力空間の中に位置する外周面にはウォームホイールが固定的に設置され、前記動力空間の中には上下に伸びるように設置されたウォームが回転できるように設置され、前記ウォームは前記ウォームホイールとねじ山によって連結されていることを特徴とする請求項１に記載の環境に優しくて高効率のホテル用煙道清掃装置。
【請求項８】
前記後部分の上下端面には対称的に設置された二つの支持フレームが固定的に設置され、二つの前記支持フレームの中にはいずれも転動空間が設置され、前記ウォームの伸びている部分はいずれも前記動力空間の内壁を貫通して前記転動空間の中に伸び、且つ前記ウォームの伸びている部分の末端にはいずれも第五傘歯車が設置され、二つの前記転動空間の前側内壁にはいずれも伝動軸が回転できるように設置され、前記伝動軸の外周面にはいずれも第六傘歯車が固定的に設置され、前記第六傘歯車はいずれも前記第五傘歯車と噛み合い、二つの前記伝動軸の後方に伸びている部分はいずれも前記転動空間の後壁を貫通し、且つ外部空間に伸び、また二つの前記伝動軸の後方に伸びている部分末端にはローラーが装着されていることを特徴とする請求項７に記載の環境に優しくて高効率のホテル用煙道清掃装置。
【発明の詳細な説明】
【技術分野】
【０００１】
本発明は煙道清掃技術分野に関わり、具体的には環境に優しくて高効率のホテル用煙道清掃装置である。
【背景技術】
【０００２】
ホテルのキッチンで使う煙道の中には、長い間積もりに積もった燃焼ガスを排出することで、大量の油の染みと汚れが生み出され、一部のホテルは清掃コストが高すぎるため又は煙道のデザインが不合理で清掃しにくいため、煙道を長時間清掃しなく、こうして汚れは多くなり、さらに塊状の物になり、安全リスクは非常に高く、今常用する煙道清掃方法は、主に煙道の中に水管を差し込み、且つ清掃用薬液を噴射し、この薬液は煙道を清掃できるが、腐蝕性は強く、煙道を損害しやすくて二次汚染を起こす可能性もあり、もう一つの清掃方法は、ろ過装置を加えて装着することであり、この方法は限界があり、清潔を維持しにくく、且つろ過装置を常に換える必要があり、コストも高く、従って、煙道を易しく清掃でき、安全リスクを下げるため、携帯しやすくて環境に優しくて高効率の装置が需要となる。
【先行技術文献】
【特許文献】
【０００３】
【特許文献１】中国特許出願公開第１０５５２１５７３号明細書
【発明の概要】
【発明が解決しようとする課題】
【０００４】
本発明の目的は環境に優しくて高効率のホテル用煙道清掃装置を提供し、既存技術にある上記の欠点を解消するのである。
【課題を解決するための手段】
【０００５】
本発明の実施例における環境に優しくて高効率のホテル用煙道清掃装置は、頭部と、主体と、旋転体と、後部分とを含み、前記主体は前記頭部の右側に位置し、前記旋転体は前記主体の右側に位置し、前記後部分は前記旋転体の右側に位置し、前記頭部は回転できるように設置され、前記頭部の中には槌打空間が設置され、前記槌打空間の中には煙道にある塊状になった汚れを叩くことができる槌打機構が設置され、前記槌打機構の左側は外部空間に伸びて煙道と接触することができ、前記主体の外周面には環状ブレードが固定的に設置され、前記環状ブレードは前記槌打機構の槌打によって生じたゴミを除去することができ、前記主体の中には貯水箱が装着され、前記主体の中には押圧空間が設置され、前記押圧空間の中には上下に押圧できる押圧機構が設置され、前記貯水箱の中には洗浄液が貯蔵され、前記旋転体は回転できるように設置され、前記旋転体の外周面には煙道を清掃できる清掃機構が設置され、前記後部分の外周面には二回の清掃を行って煙道の水をきれいに拭き取れる拭き取り機構が設置され、前記後部分の中には動力空間が設置され、前記動力空間の中には装置全体に動力を提供できる動力機構が設置され、前記槌打空間と前記動力空間との間の内壁の中には横軸が回転できるように設置され、前記横軸は左右に伸びるように設置されている。
【０００６】
さらなる技術プランとして、前記槌打機構は対称的に設置された上下二つのコンロッドを含み、二つの前記コンロッドの中間の曲がり部分はいずれも前記槌打空間の後壁にヒンジで連結され、二つの前記コンロッドの左側部分はいずれも外部空間に伸び、且つ二つの前記コンロッドの左側末端にはいずれも槌打ボールが固定的に設置され、二つの前記コンロッドのもう片側末端と前記槌打空間の左壁との間にはいずれも第一ばねが装着され、前記横軸の左方に伸びている部分は前記槌打空間の左壁と回転できるように連結され、前記槌打空間の中に位置する前記横軸の外周面には第一傘歯車が固定的に設置され、前記槌打空間の前後端壁には前後対称的に設置された二つの旋転軸が回転できるように設置され、二つの前記旋転軸の末端にはいずれも第二傘歯車が設置され、二つの前記第二傘歯車はいずれも前記第一傘歯車と噛み合い、二つの前記旋転軸の外周面には揺れ動きロッドが固定的に設置され、前記揺れ動きロッドの末端にはいずれも衝撃ボールが固定的に設置され、前記衝撃ボールはいずれも前記コンロッドの右端と当接している。
【０００７】
さらなる技術プランとして、前記槌打空間の右側には矩形空間が設置され、前記矩形空間の内壁には歯が付き、前記横軸は前記矩形空間を貫通し、前記矩形空間の中に位置する前記横軸の外周面には第一歯車が固定的に設置され、前記第一歯車は前記矩形空間の内壁と噛み合っている。
【０００８】
さらなる技術プランとして、前記押圧機構は対称的に設置された上下二つの水噴射管を含み、二つの前記水噴射管の右端はいずれも前記貯水箱と連通するように設置され、二つの前記水噴射管の片側末端と外部空間との間にはいずれも減衰バルブが装着され、二つの前記水噴射管のもう片側末端にはピストンが装着され、前記横軸は前記押圧空間を貫通し、前記横軸において前記押圧空間の中に位置する部分の外周面には遠心ディスクが固定的に設置され、前記押圧空間には対称的に設置された二つのスライドブロックが上下にスライドできるように設置され、前記スライドブロックと前記ピストンとの間にはいずれも第二ばねが装着され、前記主体の外周面には上下対称的に設置された二つの従動車輪が設置されている。
【０００９】
さらなる技術プランとして、前記清掃機構は前記旋転体の外周面に固定的に設置された清掃海綿を含み、前記旋転体の中には環状ガス管が装着され、前記環状ガス管には空気ポンプが連結され、前記旋転体の外周面の前後上下四つの側にはそれぞれガス管が固定的に設置され、四つの前記ガス管はいずれも前記環状ガス管と連通するように設置され、前記旋転体の中には方形空間が設置され、前記方形空間の内壁には歯が付き、前記横軸は前記方形空間を貫通し、前記横軸において前記方形空間に位置する部分の外周面には第二歯車が固定的に設置され、前記第二歯車は前記方形空間の内壁と噛み合うように設置されている。
【００１０】
さらなる技術プランとして、前記拭き取り機構は拭き取りブロックを含み、前記旋転体の上下両側には対称的に設置された二つのスライド空間が設置され、二つの前記スライド空間の中にはいずれも連結ブロックがスライドできるように設置され、前記連結ブロックと前記スライド空間との間にはいずれも第三ばねが装着され、前記連結ブロックの末端はいずれも前記拭き取りブロックと固定的に連結され、前記旋転体の中には伝動空間が設置され、前記横軸は前記伝動空間を貫通し、前記横軸において前記伝動空間に位置する部分の外周面には第三傘歯車が固定的に設置され、前記伝動空間と二つの前記スライド空間との間の内壁の中にはいずれも短軸が回転できるように設置され、前記短軸は上下に伸びるように設置され、前記短軸の片側末端はいずれも前記スライド空間の中に伸び、且つ前記短軸の片側末端にはいずれも揺動トレイが固定的に設置され、前記短軸のもう片側末端にはいずれも第四傘歯車が固定的に設置され、前記第四傘歯車はいずれも前記第三傘歯車と噛み合っている。
【００１１】
さらなる技術プランとして、前記動力機構は動力空間を含み、前記動力空間は前記伝動空間の右側に位置し、前記動力空間の右壁にはモーターが装着され、前記横軸の右方に伸びている部分は前記動力空間の中に伸び、且つ前記横軸の右方に伸びている部分の末端は前記モーターと動力が伝達できるように連結され、前記横軸において前記動力空間の中に位置する外周面にはウォームホイールが固定的に設置され、前記動力空間の中には上下に伸びるように設置されたウォームが回転できるように設置され、前記ウォームは前記ウォームホイールとねじ山によって連結されている。
【００１２】
さらなる技術プランとして、前記後部分の上下端面には対称的に設置された二つの支持フレームが固定的に設置され、二つの前記支持フレームの中にはいずれも転動空間が設置され、前記ウォームの伸びている部分はいずれも前記動力空間の内壁を貫通して前記転動空間の中に伸び、且つ前記ウォームの伸びている部分の末端にはいずれも第五傘歯車が設置され、二つの前記転動空間の前側内壁にはいずれも伝動軸が回転できるように設置され、前記伝動軸の外周面にはいずれも第六傘歯車が固定的に設置され、前記第六傘歯車はいずれも前記第五傘歯車と噛み合い、二つの前記伝動軸の後方に伸びている部分はいずれも前記転動空間の後壁を貫通し、且つ外部空間に伸び、また二つの前記伝動軸の後方に伸びている部分末端にはローラーが装着されている。
【発明の効果】
【００１３】
本発明の有益な効果は：本発明はホテルの台所の煙道を清掃することができ、使用が便利で、煙道の清掃が難しい問題を解決でき、装置を作業者が清掃できない煙道の中のところに置き、そして電源を入れればよく、装置は自動的に煙道の中で移動でき、装置の頭部内の槌打機構は煙道内の長い間積もりに積もった塊状の汚れを砕くことができ、同時に、主体にある環状ブレードは槌打後に生じたゴミを除去でき、旋転体は洗浄液の作用のもとで煙道を清掃でき、また汚水を吹き動かして煙道から排出でき、後部分の外周面にある拭き取り機構は煙道をより清潔になるようにさせることができ、清掃の過程は環境に優しくて高効率であり、人工清掃のステップを省き、装置全体の構成は連動し、デザインは簡単で便利である。
【図面の簡単な説明】
【００１４】
説明しやすいために、本発明を下記の具体的な実施例及び附図をもって詳しく説明する。下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明の環境に優しくて高効率のホテル用煙道清掃装置の内部全体構成概略図
【図２】図２は本発明におけるＡの部分構成拡大概略図
【図３】図３は本発明におけるＢの部分構成平面図
【図４】図４は本発明における清掃機構の部分構成右側面図
【発明を実施するための形態】
【００１６】
図１〜４を参照し、本発明の実施例における環境に優しくて高効率のホテル用煙道清掃装置は、頭部１１と、主体１２と、旋転体１３と、後部分１４とを含み、前記主体１２は前記頭部１１の右側に位置し、前記旋転体１３は前記主体１２の右側に位置し、前記後部分１４は前記旋転体１３の右側に位置し、前記頭部１１は回転できるように設置され、前記頭部１１の中には槌打空間１８が設置され、前記槌打空間１８の中には煙道にある塊状になった汚れを叩くことができる槌打機構１０１が設置され、前記槌打機構１０１の左側は外部空間に伸びて煙道と接触することができ、前記主体１２の外周面には環状ブレード２３が固定的に設置され、前記環状ブレード２３は前記槌打機構１０１の槌打によって生じたゴミを除去することができ、前記主体１２の中には貯水箱２７が装着され、前記主体１２の中には押圧空間３１が設置され、前記押圧空間３１の中には上下に押圧できる押圧機構１０２が設置され、前記貯水箱２７の中には洗浄液が貯蔵され、前記旋転体１３は回転できるように設置され、前記旋転体１３の外周面には煙道を清掃できる清掃機構１０３が設置され、前記後部分１４の外周面には二回の清掃を行って煙道の水をきれいに拭き取れる拭き取り機構１０４が設置され、前記後部分１４の中には動力空間４４が設置され、前記動力空間４４の中には装置全体に動力を提供できる動力機構１０５が設置され、前記槌打空間１８と前記動力空間４４との間の内壁の中には横軸２０が回転できるように設置され、前記横軸２０は左右に伸びるように設置されている。
【００１７】
前記槌打機構１０１は対称的に設置された上下二つのコンロッド１６を含み、二つの前記コンロッド１６の中間の曲がり部分はいずれも前記槌打空間１８の後壁にヒンジで連結され、二つの前記コンロッド１６の左側部分はいずれも外部空間に伸び、且つ二つの前記コンロッド１６の左側末端にはいずれも槌打ボール１５が固定的に設置され、二つの前記コンロッド１６のもう片側末端と前記槌打空間１８の左壁との間にはいずれも第一ばね１７が装着され、前記横軸２０の左方に伸びている部分は前記槌打空間１８の左壁と回転できるように連結され、前記槌打空間１８の中に位置する前記横軸２０の外周面には第一傘歯車１９が固定的に設置され、前記槌打空間１８の前後端壁には前後対称的に設置された二つの旋転軸５４が回転できるように設置され、二つの前記旋転軸５４の末端にはいずれも第二傘歯車５７が設置され、二つの前記第二傘歯車５７はいずれも前記第一傘歯車１９と噛み合い、二つの前記旋転軸５４の外周面には揺れ動きロッド５８が固定的に設置され、前記揺れ動きロッド５８の末端にはいずれも衝撃ボール５９が固定的に設置され、前記衝撃ボール５９はいずれも前記コンロッド１６の右端と当接しており、
前記横軸２０の回転によって、前記第二傘歯車５７を回転連動させることができ、そして前記衝撃ボール５９に円周運動を行わせ、それによって前記コンロッド１６を衝撃して回転させ、さらにそれによって前記槌打ボール１５は煙道を叩くことができる。
【００１８】
前記槌打空間１８の右側には矩形空間２１が設置され、前記矩形空間２１の内壁には歯が付き、前記横軸２０は前記矩形空間２１を貫通し、前記矩形空間２１の中に位置する前記横軸２０の外周面には第一歯車２２が固定的に設置され、前記第一歯車２２は前記矩形空間２１の内壁と噛み合っており、
それによって前記頭部１１を回転させることができる。
【００１９】
前記押圧機構１０２は対称的に設置された上下二つの水噴射管２６を含み、二つの前記水噴射管２６の右端はいずれも前記貯水箱２７と連通するように設置され、二つの前記水噴射管２６の片側末端と外部空間との間にはいずれも減衰バルブ２５が装着され、二つの前記水噴射管２６のもう片側末端にはピストン２８が装着され、前記横軸２０は前記押圧空間３１を貫通し、前記横軸２０において前記押圧空間３１の中に位置する部分の外周面には遠心ディスク３２が固定的に設置され、前記押圧空間３１には対称的に設置された二つのスライドブロック３０が上下にスライドできるように設置され、前記スライドブロック３０と前記ピストン２８との間にはいずれも第二ばね２９が装着され、前記主体１２の外周面には上下対称的に設置された二つの従動車輪２４が設置されており、
前記横軸２０の回転によって、煙道の上下両側に洗浄液を間欠的に噴射することができる。
【００２０】
前記清掃機構１０３は前記旋転体１３の外周面に固定的に設置された清掃海綿３３を含み、前記旋転体１３の中には環状ガス管３５が装着され、前記環状ガス管３５には空気ポンプ３８が連結され、前記旋転体１３の外周面の前後上下四つの側にはそれぞれガス管３４が固定的に設置され、四つの前記ガス管３４はいずれも前記環状ガス管３５と連通するように設置され、前記旋転体１３の中には方形空間３６が設置され、前記方形空間３６の内壁には歯が付き、前記横軸２０は前記方形空間３６を貫通し、前記横軸２０において前記方形空間３６に位置する部分の外周面には第二歯車３７が固定的に設置され、前記第二歯車３７は前記方形空間３６の内壁と噛み合うように設置されており、
前記横軸２０の回転によって、前記旋転体１３を回転させることができ、そして前記清掃海綿３３を清掃作用を果たせるようにさせ、同時に前記ガス管３４は汚水を押し動かして左方に移動させることができる。
【００２１】
前記拭き取り機構１０４は拭き取りブロック３９を含み、前記旋転体１３の上下両側には対称的に設置された二つのスライド空間６１が設置され、二つの前記スライド空間６１の中にはいずれも連結ブロック４０がスライドできるように設置され、前記連結ブロック４０と前記スライド空間６１との間にはいずれも第三ばね６３が装着され、前記連結ブロック４０の末端はいずれも前記拭き取りブロック３９と固定的に連結され、前記旋転体１３の中には伝動空間４１が設置され、前記横軸２０は前記伝動空間４１を貫通し、前記横軸２０において前記伝動空間４１に位置する部分の外周面には第三傘歯車４３が固定的に設置され、前記伝動空間４１と二つの前記スライド空間６１との間の内壁の中にはいずれも短軸６０が回転できるように設置され、前記短軸６０は上下に伸びるように設置され、前記短軸６０の片側末端はいずれも前記スライド空間６１の中に伸び、且つ前記短軸６０の片側末端にはいずれも揺動トレイ６２が固定的に設置され、前記短軸６０のもう片側末端にはいずれも第四傘歯車４２が固定的に設置され、前記第四傘歯車４２はいずれも前記第三傘歯車４３と噛み合っており、
前記横軸２０の回転によって、前記短軸６０の回転を連動させ、そして前記揺動トレイ６２を回転させ、それによって前記連結ブロック４０を衝撃して左方にスライドさせることができ、さらに前記拭き取りブロック３９を左方に移動できるようにさせ、前記第三ばね６３は前記連結ブロック４０を本来の位置に戻すことができ、それによって前記拭き取りブロック３９を左右に移動させて拭き取り効果を達成できる。
【００２２】
前記動力機構１０５は動力空間４４を含み、前記動力空間４４は前記伝動空間４１の右側に位置し、前記動力空間４４の右壁にはモーター４７が装着され、前記横軸２０の右方に伸びている部分は前記動力空間４４の中に伸び、且つ前記横軸２０の右方に伸びている部分の末端は前記モーター４７と動力が伝達できるように連結され、前記横軸２０において前記動力空間４４の中に位置する外周面にはウォームホイール４６が固定的に設置され、前記動力空間４４の中には上下に伸びるように設置されたウォーム４５が回転できるように設置され、前記ウォーム４５は前記ウォームホイール４６とねじ山によって連結されており、
前記モーター４７の連動によって、前記横軸２０を回転させることができ、そして前記ウォーム４５を回転連動させることができる。
【００２３】
前記後部分１４の上下端面には対称的に設置された二つの支持フレーム５３が固定的に設置され、二つの前記支持フレーム５３の中にはいずれも転動空間４８が設置され、前記ウォーム４５の伸びている部分はいずれも前記動力空間４４の内壁を貫通して前記転動空間４８の中に伸び、且つ前記ウォーム４５の伸びている部分の末端にはいずれも第五傘歯車４９が設置され、二つの前記転動空間４８の前側内壁にはいずれも伝動軸５１が回転できるように設置され、前記伝動軸５１の外周面にはいずれも第六傘歯車５０が固定的に設置され、前記第六傘歯車５０はいずれも前記第五傘歯車４９と噛み合い、二つの前記伝動軸５１の後方に伸びている部分はいずれも前記転動空間４８の後壁を貫通し、且つ外部空間に伸び、また二つの前記伝動軸５１の後方に伸びている部分末端にはローラー５２が装着されており、
前記ウォーム４５の回転によって、上下両側の前記ローラー５２を回転させることができ、そして装置全体を移動連動させる。
【００２４】
使用する時、装置を煙道の中に置き、モーター４７を始動し、横軸２０を回転させ、それによってウォーム４５を回転連動させ、そして上下両側のローラー５２を回転させることができ、そして装置全体を煙道の内部まで移動連動させ、横軸２０の回転は第一傘歯車１９を回転連動させることができ、そして衝撃ボール５９にコンロッド１６を叩かせることができ、且つコンロッド１６を回転させ、さらに衝撃ボール１５は煙道に槌打を行い、塊状になった汚れを砕くことができ、同時に横軸２０は頭部１１を回転連動させることができ、そして煙道面全体に槌打を行うことができ、横軸２０の回転はまた遠心ディスク３２を回転させることができ、そして水噴射管２６の中にある洗浄液を排出することができ、環状ブレード２３は細々になったゴミを除去でき、同時に横軸２０の回転は旋転体１３を回転させることができ、そして清掃海綿３３に煙道の表面を清掃させることができ、またガス管３４に汚水を外部に吹き付けて排出できるようにさせ、同時に、横軸２０の回転は揺動トレイ６２を回転連動させることができ、そして連結ブロック４０を左方に移動できるようにさせ、且つ第三ばね６３の弾力作用のもとで連結ブロック４０を右方に移動できるようにさせ、それによって拭き取りブロック３９は煙道を繰り返して拭くことができる。
【００２５】
本発明の有益な効果は：本発明はホテルの台所の煙道を清掃することができ、使用が便利で、煙道の清掃が難しい問題を解決でき、装置を作業者が清掃できない煙道の中のところに置き、そして電源を入れればよく、装置は自動的に煙道の中で移動でき、装置の頭部内の槌打機構は煙道内の長い間積もりに積もった塊状の汚れを砕くことができ、同時に、主体にある環状ブレードは槌打後に生じたゴミを除去でき、旋転体は洗浄液の作用のもとで煙道を清掃でき、また汚水を吹き動かして煙道から排出でき、後部分の外周面にある拭き取り機構は煙道をより清潔になるようにさせることができ、清掃の過程は環境に優しくて高効率であり、人工清掃のステップを省き、装置全体の構成は連動し、デザインは簡単で便利である。
【００２６】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【図１】
2020197368.tif 000003
【図２】
2020197368.tif 000004
【図３】
2020197368.tif 000005
【図４】
2020197368.tif 000006
【手続補正書】
【提出日】令和2年8月1日(2020.8.1)
【手続補正１】
【補正対象書類名】特許請求の範囲
【補正対象項目名】全文
【補正方法】変更
【補正の内容】
【特許請求の範囲】
【請求項１】
頭部と、主体と、旋転体と、後部分とを含み、
前記主体は前記頭部の右側に位置し、前記旋転体は前記主体の右側に位置し、前記後部分は前記旋転体の右側に位置し、前記頭部は回転できるように設置され、前記頭部の中には槌打空間が設置され、前記槌打空間の中には煙道にある塊状になった汚れを叩くことができる槌打機構が設置され、前記槌打機構の左側は外部空間に伸びて煙道と接触することができ、前記主体の外周面には環状ブレードが固定的に設置され、前記環状ブレードは前記槌打機構の槌打によって生じたゴミを除去することができ、前記主体の中には貯水箱が装着され、
前記主体の中には押圧空間が設置され、前記押圧空間の中には押圧機構が設置され、前記貯水箱の中には洗浄液が貯蔵され、前記旋転体は回転できるように設置され、前記旋転体の外周面には煙道を清掃できる清掃機構が設置され、前記後部分には拭き取り機構が設置され、前記後部分の中には動力空間が設置され、前記動力空間の中には装置全体に動力を提供できる動力機構が設置され、横軸の左端が前記槌打空間の左側内壁に回転できるように設置され、前記横軸の右端が前記動力空間の右側内壁に回転できるように設置されていることを特徴とする環境に優しくて高効率のホテル用煙道清掃装置。
【請求項２】
前記槌打機構は対称的に設置された上下二つのコンロッドを含み、二つの前記コンロッドの中間の曲がり部分はいずれも前記槌打空間の後壁にヒンジで連結され、二つの前記コンロッドの左側部分はいずれも外部空間に伸び、且つ二つの前記コンロッドの左側末端にはいずれも槌打ボールが固定的に設置され、二つの前記コンロッドのもう片側末端と前記槌打空間の左壁との間にはいずれも第一ばねが装着され、前記横軸の左方に伸びている部分は前記槌打空間の左壁と回転できるように連結され、前記槌打空間の中に位置する前記横軸の外周面には第一傘歯車が固定的に設置され、前記槌打空間の前後端壁には前後対称的に設置された二つの旋転軸が回転できるように設置され、二つの前記旋転軸の末端にはいずれも第二傘歯車が設置され、二つの前記第二傘歯車はいずれも前記第一傘歯車と噛み合い、二つの前記旋転軸の外周面には揺れ動きロッドが固定的に設置され、前記揺れ動きロッドの末端にはいずれも衝撃ボールが固定的に設置され、前記衝撃ボールはいずれも前記コンロッドの右端と当接していることを特徴とする請求項１に記載の環境に優しくて高効率のホテル用煙道清掃装置。
【請求項３】
前記槌打空間の右側には矩形空間が設置され、前記矩形空間の内壁には歯が付き、前記横軸は前記矩形空間を貫通し、前記矩形空間の中に位置する前記横軸の外周面には第一歯車が固定的に設置され、前記第一歯車は前記矩形空間の内壁と噛み合っていることを特徴とする請求項２に記載の環境に優しくて高効率のホテル用煙道清掃装置。
【請求項４】
前記押圧機構は上下二つの水噴射管を含み、二つの前記水噴射管の右端はいずれも前記貯水箱と連通するように設置され、二つの前記水噴射管の片側末端と外部空間との間にはいずれも減衰バルブが装着され、二つの前記水噴射管のもう片側末端にはピストンが装着され、前記横軸は前記押圧空間を貫通し、前記横軸において前記押圧空間の中に位置する部分の外周面には遠心ディスクが固定的に設置され、前記押圧空間には対称的に設置された二つのスライドブロックが上下にスライドできるように設置され、前記スライドブロックと前記ピストンとの間にはいずれも第二ばねが装着され、前記主体の外周面には二つの従動車輪が設置されていることを特徴とする請求項１に記載の環境に優しくて高効率のホテル用煙道清掃装置。
【請求項５】
前記清掃機構は前記旋転体の外周面に固定的に設置された清掃海綿を含み、前記旋転体の中には環状ガス管が装着され、前記環状ガス管には空気ポンプが連結され、前記旋転体には四本のガス管が設置され、四つの前記ガス管はいずれも前記環状ガス管と連通するように設置され、前記旋転体の中には方形空間が設置され、前記方形空間の内壁には歯が付き、前記横軸は前記方形空間を貫通し、前記横軸において前記方形空間に位置する部分の外周面には第二歯車が固定的に設置され、前記第二歯車は前記方形空間の内壁と噛み合うように設置されていることを特徴とする請求項１に記載の環境に優しくて高効率のホテル用煙道清掃装置。
【請求項６】
前記拭き取り機構は拭き取りブロックを含み、前記旋転体の上下両側には二つのスライド空間が設置され、二つの前記スライド空間の中にはいずれも連結ブロックがスライドできるように設置され、前記連結ブロックと前記スライド空間との間にはいずれも第三ばねが装着され、前記連結ブロックの末端はいずれも前記拭き取りブロックと固定的に連結され、前記旋転体の中には伝動空間が設置され、前記横軸は前記伝動空間を貫通し、前記横軸において前記伝動空間に位置する部分の外周面には第三傘歯車が固定的に設置され、前記伝動空間と二つの前記スライド空間との間の内壁の中にはいずれも短軸が回転できるように設置され、前記短軸は上下に伸びるように設置され、前記短軸の片側末端はいずれも前記スライド空間の中に伸び、且つ前記短軸の片側末端にはいずれも揺動トレイが固定的に設置され、前記短軸のもう片側末端にはいずれも第四傘歯車が固定的に設置され、前記第四傘歯車はいずれも前記第三傘歯車と噛み合っていることを特徴とする請求項１に記載の環境に優しくて高効率のホテル用煙道清掃装置。
【請求項７】
前記動力機構は動力空間を含み、前記動力空間は前記伝動空間の右側に位置し、前記動力空間の右壁にはモーターが装着され、前記横軸の右方に伸びている部分は前記動力空間の中に伸び、且つ前記横軸の右方に伸びている部分の末端は前記モーターと動力が伝達できるように連結され、前記横軸において前記動力空間の中に位置する外周面にはウォームホイールが固定的に設置され、前記動力空間の中には上下に伸びるように設置されたウォームが回転できるように設置され、前記ウォームは前記ウォームホイールとねじ山によって連結されていることを特徴とする請求項１に記載の環境に優しくて高効率のホテル用煙道清掃装置。
【請求項８】
前記後部分の上下端面には対称的に設置された二つの支持フレームが固定的に設置され、二つの前記支持フレームの中にはいずれも転動空間が設置され、前記ウォームの伸びている部分はいずれも前記動力空間の内壁を貫通して前記転動空間の中に伸び、且つ前記ウォームの伸びている部分の末端にはいずれも第五傘歯車が設置され、二つの前記転動空間の前側内壁にはいずれも伝動軸が回転できるように設置され、前記伝動軸の外周面にはいずれも第六傘歯車が固定的に設置され、前記第六傘歯車はいずれも前記第五傘歯車と噛み合い、二つの前記伝動軸の後方に伸びている部分はいずれも前記転動空間の後壁を貫通し、且つ外部空間に伸び、また二つの前記伝動軸の後方に伸びている部分末端にはローラーが装着されていることを特徴とする請求項７に記載の環境に優しくて高効率のホテル用煙道清掃装置。
【手続補正２】
【補正対象書類名】明細書
【補正対象項目名】全文
【補正方法】変更
【補正の内容】
【発明の詳細な説明】
【技術分野】
【０００１】
本発明は煙道清掃技術分野に関わり、具体的には環境に優しくて高効率のホテル用煙道清掃装置である。
【背景技術】
【０００２】
ホテルのキッチンで使う煙道の中には、長い間積もりに積もった燃焼ガスを排出することで、大量の油の染みと汚れが生み出され、一部のホテルは清掃コストが高すぎるため又は煙道のデザインが不合理で清掃しにくいため、煙道を長時間清掃しなく、こうして汚れは多くなり、さらに塊状の物になり、安全リスクは非常に高く、今常用する煙道清掃方法は、主に煙道の中に水管を差し込み、且つ清掃用薬液を噴射し、この薬液は煙道を清掃できるが、腐蝕性は強く、煙道を損害しやすくて二次汚染を起こす可能性もあり、もう一つの清掃方法は、ろ過装置を加えて装着することであり、この方法は限界があり、清潔を維持しにくく、且つろ過装置を常に換える必要があり、コストも高く、従って、煙道を易しく清掃でき、安全リスクを下げるため、携帯しやすくて環境に優しくて高効率の装置が需要となる。
【先行技術文献】
【特許文献】
【０００３】
【特許文献１】中国特許出願公開第１０５５２１５７３号明細書
【発明の概要】
【発明が解決しようとする課題】
【０００４】
本発明の目的は環境に優しくて高効率のホテル用煙道清掃装置を提供し、既存技術にある上記の欠点を解消するのである。
【課題を解決するための手段】
【０００５】
本発明の実施例における環境に優しくて高効率のホテル用煙道清掃装置は、頭部と、主体と、旋転体と、後部分とを含み、前記主体は前記頭部の右側に位置し、前記旋転体は前記主体の右側に位置し、前記後部分は前記旋転体の右側に位置し、前記頭部は回転できるように設置され、前記頭部の中には槌打空間が設置され、前記槌打空間の中には煙道にある塊状になった汚れを叩くことができる槌打機構が設置され、前記槌打機構の左側は外部空間に伸びて煙道と接触することができ、前記主体の外周面には環状ブレードが固定的に設置され、前記環状ブレードは前記槌打機構の槌打によって生じたゴミを除去することができ、前記主体の中には貯水箱が装着され、前記主体の中には押圧空間が設置され、前記押圧空間の中には押圧機構が設置され、前記貯水箱の中には洗浄液が貯蔵され、前記旋転体は回転できるように設置され、前記旋転体の外周面には煙道を清掃できる清掃機構が設置され、前記後部分には拭き取り機構が設置され、前記後部分の中には動力空間が設置され、前記動力空間の中には装置全体に動力を提供できる動力機構が設置され、横軸の左端が前記槌打空間の左側内壁に回転できるように設置され、前記横軸の右端が前記動力空間の右側内壁に回転できるように設置されている。
【０００６】
さらなる技術プランとして、前記槌打機構は対称的に設置された上下二つのコンロッドを含み、二つの前記コンロッドの中間の曲がり部分はいずれも前記槌打空間の後壁にヒンジで連結され、二つの前記コンロッドの左側部分はいずれも外部空間に伸び、且つ二つの前記コンロッドの左側末端にはいずれも槌打ボールが固定的に設置され、二つの前記コンロッドのもう片側末端と前記槌打空間の左壁との間にはいずれも第一ばねが装着され、前記横軸の左方に伸びている部分は前記槌打空間の左壁と回転できるように連結され、前記槌打空間の中に位置する前記横軸の外周面には第一傘歯車が固定的に設置され、前記槌打空間の前後端壁には前後対称的に設置された二つの旋転軸が回転できるように設置され、二つの前記旋転軸の末端にはいずれも第二傘歯車が設置され、二つの前記第二傘歯車はいずれも前記第一傘歯車と噛み合い、二つの前記旋転軸の外周面には揺れ動きロッドが固定的に設置され、前記揺れ動きロッドの末端にはいずれも衝撃ボールが固定的に設置され、前記衝撃ボールはいずれも前記コンロッドの右端と当接している。
【０００７】
さらなる技術プランとして、前記槌打空間の右側には矩形空間が設置され、前記矩形空間の内壁には歯が付き、前記横軸は前記矩形空間を貫通し、前記矩形空間の中に位置する前記横軸の外周面には第一歯車が固定的に設置され、前記第一歯車は前記矩形空間の内壁と噛み合っている。
【０００８】
さらなる技術プランとして、前記押圧機構は上下二つの水噴射管を含み、二つの前記水噴射管の右端はいずれも前記貯水箱と連通するように設置され、二つの前記水噴射管の片側末端と外部空間との間にはいずれも減衰バルブが装着され、二つの前記水噴射管のもう片側末端にはピストンが装着され、前記横軸は前記押圧空間を貫通し、前記横軸において前記押圧空間の中に位置する部分の外周面には遠心ディスクが固定的に設置され、前記押圧空間には対称的に設置された二つのスライドブロックが上下にスライドできるように設置され、前記スライドブロックと前記ピストンとの間にはいずれも第二ばねが装着され、前記主体の外周面には二つの従動車輪が設置されている。
【０００９】
さらなる技術プランとして、前記清掃機構は前記旋転体の外周面に固定的に設置された清掃海綿を含み、前記旋転体の中には環状ガス管が装着され、前記環状ガス管には空気ポンプが連結され、前記旋転体には四本のガス管が設置され、四つの前記ガス管はいずれも前記環状ガス管と連通するように設置され、前記旋転体の中には方形空間が設置され、前記方形空間の内壁には歯が付き、前記横軸は前記方形空間を貫通し、前記横軸において前記方形空間に位置する部分の外周面には第二歯車が固定的に設置され、前記第二歯車は前記方形空間の内壁と噛み合うように設置されている。
【００１０】
さらなる技術プランとして、前記拭き取り機構は拭き取りブロックを含み、前記旋転体の上下両側には二つのスライド空間が設置され、二つの前記スライド空間の中にはいずれも連結ブロックがスライドできるように設置され、前記連結ブロックと前記スライド空間との間にはいずれも第三ばねが装着され、前記連結ブロックの末端はいずれも前記拭き取りブロックと固定的に連結され、前記旋転体の中には伝動空間が設置され、前記横軸は前記伝動空間を貫通し、前記横軸において前記伝動空間に位置する部分の外周面には第三傘歯車が固定的に設置され、前記伝動空間と二つの前記スライド空間との間の内壁の中にはいずれも短軸が回転できるように設置され、前記短軸は上下に伸びるように設置され、前記短軸の片側末端はいずれも前記スライド空間の中に伸び、且つ前記短軸の片側末端にはいずれも揺動トレイが固定的に設置され、前記短軸のもう片側末端にはいずれも第四傘歯車が固定的に設置され、前記第四傘歯車はいずれも前記第三傘歯車と噛み合っている。
【００１１】
さらなる技術プランとして、前記動力機構は動力空間を含み、前記動力空間は前記伝動空間の右側に位置し、前記動力空間の右壁にはモーターが装着され、前記横軸の右方に伸びている部分は前記動力空間の中に伸び、且つ前記横軸の右方に伸びている部分の末端は前記モーターと動力が伝達できるように連結され、前記横軸において前記動力空間の中に位置する外周面にはウォームホイールが固定的に設置され、前記動力空間の中には上下に伸びるように設置されたウォームが回転できるように設置され、前記ウォームは前記ウォームホイールとねじ山によって連結されている。
【００１２】
さらなる技術プランとして、前記後部分の上下端面には対称的に設置された二つの支持フレームが固定的に設置され、二つの前記支持フレームの中にはいずれも転動空間が設置され、前記ウォームの伸びている部分はいずれも前記動力空間の内壁を貫通して前記転動空間の中に伸び、且つ前記ウォームの伸びている部分の末端にはいずれも第五傘歯車が設置され、二つの前記転動空間の前側内壁にはいずれも伝動軸が回転できるように設置され、前記伝動軸の外周面にはいずれも第六傘歯車が固定的に設置され、前記第六傘歯車はいずれも前記第五傘歯車と噛み合い、二つの前記伝動軸の後方に伸びている部分はいずれも前記転動空間の後壁を貫通し、且つ外部空間に伸び、また二つの前記伝動軸の後方に伸びている部分末端にはローラーが装着されている。
【発明の効果】
【００１３】
本発明の有益な効果は：本発明はホテルの台所の煙道を清掃することができ、使用が便利で、煙道の清掃が難しい問題を解決でき、装置を作業者が清掃できない煙道の中のところに置き、そして電源を入れればよく、装置は自動的に煙道の中で移動でき、装置の頭部内の槌打機構は煙道内の長い間積もりに積もった塊状の汚れを砕くことができ、同時に、主体にある環状ブレードは槌打後に生じたゴミを除去でき、旋転体は洗浄液の作用のもとで煙道を清掃でき、また汚水を吹き動かして煙道から排出でき、後部分の外周面にある拭き取り機構は煙道をより清潔になるようにさせることができ、清掃の過程は環境に優しくて高効率であり、人工清掃のステップを省き、装置全体の構成は連動し、デザインは簡単で便利である。
【図面の簡単な説明】
【００１４】
説明しやすいために、本発明を下記の具体的な実施例及び附図をもって詳しく説明する。下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明の環境に優しくて高効率のホテル用煙道清掃装置の内部全体構成概略図
【図２】図２は本発明におけるＡの部分構成拡大概略図
【図３】図３は本発明におけるＢの部分構成平面図
【図４】図４は本発明における清掃機構の部分構成右側面図
【発明を実施するための形態】
【００１６】
図１〜４を参照し、本発明の実施例における環境に優しくて高効率のホテル用煙道清掃装置は、頭部１１と、主体１２と、旋転体１３と、後部分１４とを含み、前記主体１２は前記頭部１１の右側に位置し、前記旋転体１３は前記主体１２の右側に位置し、前記後部分１４は前記旋転体１３の右側に位置し、前記頭部１１は回転できるように設置され、前記頭部１１の中には槌打空間１８が設置され、前記槌打空間１８の中には煙道にある塊状になった汚れを叩くことができる槌打機構１０１が設置され、前記槌打機構１０１の左側は外部空間に伸びて煙道と接触することができ、前記主体１２の外周面には環状ブレード２３が固定的に設置され、前記環状ブレード２３は前記槌打機構１０１の槌打によって生じたゴミを除去することができ、前記主体１２の中には貯水箱２７が装着され、前記主体１２の中には押圧空間３１が設置され、前記押圧空間３１の中には押圧機構１０２が設置され、前記貯水箱２７の中には洗浄液が貯蔵され、前記旋転体１３は回転できるように設置され、前記旋転体１３の外周面には煙道を清掃できる清掃機構１０３が設置され、前記後部分１４には拭き取り機構１０４が設置され、前記後部分１４の中には動力空間４４が設置され、前記動力空間４４の中には装置全体に動力を提供できる動力機構１０５が設置され、横軸２０の左端が前記槌打空間１８の左側内壁に回転できるように設置され、前記横軸２０の右端が前記動力空間４４の右側内壁に回転できるように設置されている。
【００１７】
前記槌打機構１０１は対称的に設置された上下二つのコンロッド１６を含み、二つの前記コンロッド１６の中間の曲がり部分はいずれも前記槌打空間１８の後壁にヒンジで連結され、二つの前記コンロッド１６の左側部分はいずれも外部空間に伸び、且つ二つの前記コンロッド１６の左側末端にはいずれも槌打ボール１５が固定的に設置され、二つの前記コンロッド１６のもう片側末端と前記槌打空間１８の左壁との間にはいずれも第一ばね１７が装着され、前記横軸２０の左方に伸びている部分は前記槌打空間１８の左壁と回転できるように連結され、前記槌打空間１８の中に位置する前記横軸２０の外周面には第一傘歯車１９が固定的に設置され、前記槌打空間１８の前後端壁には前後対称的に設置された二つの旋転軸５４が回転できるように設置され、二つの前記旋転軸５４の末端にはいずれも第二傘歯車５７が設置され、二つの前記第二傘歯車５７はいずれも前記第一傘歯車１９と噛み合い、二つの前記旋転軸５４の外周面には揺れ動きロッド５８が固定的に設置され、前記揺れ動きロッド５８の末端にはいずれも衝撃ボール５９が固定的に設置され、前記衝撃ボール５９はいずれも前記コンロッド１６の右端と当接しており、
前記横軸２０の回転によって、前記第二傘歯車５７を回転連動させることができ、そして前記衝撃ボール５９に円周運動を行わせ、それによって前記コンロッド１６を衝撃して回転させ、さらにそれによって前記槌打ボール１５は煙道を叩くことができる。
【００１８】
前記槌打空間１８の右側には矩形空間２１が設置され、前記矩形空間２１の内壁には歯が付き、前記横軸２０は前記矩形空間２１を貫通し、前記矩形空間２１の中に位置する前記横軸２０の外周面には第一歯車２２が固定的に設置され、前記第一歯車２２は前記矩形空間２１の内壁と噛み合っており、
それによって前記頭部１１を回転させることができる。
【００１９】
前記押圧機構１０２は上下二つの水噴射管２６を含み、二つの前記水噴射管２６の右端はいずれも前記貯水箱２７と連通するように設置され、二つの前記水噴射管２６の片側末端と外部空間との間にはいずれも減衰バルブ２５が装着され、二つの前記水噴射管２６のもう片側末端にはピストン２８が装着され、前記横軸２０は前記押圧空間３１を貫通し、前記横軸２０において前記押圧空間３１の中に位置する部分の外周面には遠心ディスク３２が固定的に設置され、前記押圧空間３１には対称的に設置された二つのスライドブロック３０が上下にスライドできるように設置され、前記スライドブロック３０と前記ピストン２８との間にはいずれも第二ばね２９が装着され、前記主体１２の外周面には二つの従動車輪２４が設置されており、
前記横軸２０の回転によって、煙道の上下両側に洗浄液を間欠的に噴射することができる。
【００２０】
前記清掃機構１０３は前記旋転体１３の外周面に固定的に設置された清掃海綿３３を含み、前記旋転体１３の中には環状ガス管３５が装着され、前記環状ガス管３５には空気ポンプ３８が連結され、前記旋転体１３には四本のガス管３４が設置され、四つの前記ガス管３４はいずれも前記環状ガス管３５と連通するように設置され、前記旋転体１３の中には方形空間３６が設置され、前記方形空間３６の内壁には歯が付き、前記横軸２０は前記方形空間３６を貫通し、前記横軸２０において前記方形空間３６に位置する部分の外周面には第二歯車３７が固定的に設置され、前記第二歯車３７は前記方形空間３６の内壁と噛み合うように設置されており、
前記横軸２０の回転によって、前記旋転体１３を回転させることができ、そして前記清掃海綿３３を清掃作用を果たせるようにさせ、同時に前記ガス管３４は汚水を押し動かして左方に移動させることができる。
【００２１】
前記拭き取り機構１０４は拭き取りブロック３９を含み、前記旋転体１３の上下両側には二つのスライド空間６１が設置され、二つの前記スライド空間６１の中にはいずれも連結ブロック４０がスライドできるように設置され、前記連結ブロック４０と前記スライド空間６１との間にはいずれも第三ばね６３が装着され、前記連結ブロック４０の末端はいずれも前記拭き取りブロック３９と固定的に連結され、前記旋転体１３の中には伝動空間４１が設置され、前記横軸２０は前記伝動空間４１を貫通し、前記横軸２０において前記伝動空間４１に位置する部分の外周面には第三傘歯車４３が固定的に設置され、前記伝動空間４１と二つの前記スライド空間６１との間の内壁の中にはいずれも短軸６０が回転できるように設置され、前記短軸６０は上下に伸びるように設置され、前記短軸６０の片側末端はいずれも前記スライド空間６１の中に伸び、且つ前記短軸６０の片側末端にはいずれも揺動トレイ６２が固定的に設置され、前記短軸６０のもう片側末端にはいずれも第四傘歯車４２が固定的に設置され、前記第四傘歯車４２はいずれも前記第三傘歯車４３と噛み合っており、
前記横軸２０の回転によって、前記短軸６０の回転を連動させ、そして前記揺動トレイ６２を回転させ、それによって前記連結ブロック４０を衝撃して左方にスライドさせることができ、さらに前記拭き取りブロック３９を左方に移動できるようにさせ、前記第三ばね６３は前記連結ブロック４０を本来の位置に戻すことができ、それによって前記拭き取りブロック３９を左右に移動させて拭き取り効果を達成できる。
【００２２】
前記動力機構１０５は動力空間４４を含み、前記動力空間４４は前記伝動空間４１の右側に位置し、前記動力空間４４の右壁にはモーター４７が装着され、前記横軸２０の右方に伸びている部分は前記動力空間４４の中に伸び、且つ前記横軸２０の右方に伸びている部分の末端は前記モーター４７と動力が伝達できるように連結され、前記横軸２０において前記動力空間４４の中に位置する外周面にはウォームホイール４６が固定的に設置され、前記動力空間４４の中には上下に伸びるように設置されたウォーム４５が回転できるように設置され、前記ウォーム４５は前記ウォームホイール４６とねじ山によって連結されており、
前記モーター４７の連動によって、前記横軸２０を回転させることができ、そして前記ウォーム４５を回転連動させることができる。
【００２３】
前記後部分１４の上下端面には対称的に設置された二つの支持フレーム５３が固定的に設置され、二つの前記支持フレーム５３の中にはいずれも転動空間４８が設置され、前記ウォーム４５の伸びている部分はいずれも前記動力空間４４の内壁を貫通して前記転動空間４８の中に伸び、且つ前記ウォーム４５の伸びている部分の末端にはいずれも第五傘歯車４９が設置され、二つの前記転動空間４８の前側内壁にはいずれも伝動軸５１が回転できるように設置され、前記伝動軸５１の外周面にはいずれも第六傘歯車５０が固定的に設置され、前記第六傘歯車５０はいずれも前記第五傘歯車４９と噛み合い、二つの前記伝動軸５１の後方に伸びている部分はいずれも前記転動空間４８の後壁を貫通し、且つ外部空間に伸び、また二つの前記伝動軸５１の後方に伸びている部分末端にはローラー５２が装着されており、
前記ウォーム４５の回転によって、上下両側の前記ローラー５２を回転させることができ、そして装置全体を移動連動させる。
【００２４】
使用する時、装置を煙道の中に置き、モーター４７を始動し、横軸２０を回転させ、それによってウォーム４５を回転連動させ、そして上下両側のローラー５２を回転させることができ、そして装置全体を煙道の内部まで移動連動させ、横軸２０の回転は第一傘歯車１９を回転連動させることができ、そして衝撃ボール５９にコンロッド１６を叩かせることができ、且つコンロッド１６を回転させ、さらに衝撃ボール１５は煙道に槌打を行い、塊状になった汚れを砕くことができ、同時に横軸２０は頭部１１を回転連動させることができ、そして煙道面全体に槌打を行うことができ、横軸２０の回転はまた遠心ディスク３２を回転させることができ、そして水噴射管２６の中にある洗浄液を排出することができ、環状ブレード２３は細々になったゴミを除去でき、同時に横軸２０の回転は旋転体１３を回転させることができ、そして清掃海綿３３に煙道の表面を清掃させることができ、またガス管３４に汚水を外部に吹き付けて排出できるようにさせ、同時に、横軸２０の回転は揺動トレイ６２を回転連動させることができ、そして連結ブロック４０を左方に移動できるようにさせ、且つ第三ばね６３の弾力作用のもとで連結ブロック４０を右方に移動できるようにさせ、それによって拭き取りブロック３９は煙道を繰り返して拭くことができる。
【００２５】
本発明の有益な効果は：本発明はホテルの台所の煙道を清掃することができ、使用が便利で、煙道の清掃が難しい問題を解決でき、装置を作業者が清掃できない煙道の中のところに置き、そして電源を入れればよく、装置は自動的に煙道の中で移動でき、装置の頭部内の槌打機構は煙道内の長い間積もりに積もった塊状の汚れを砕くことができ、同時に、主体にある環状ブレードは槌打後に生じたゴミを除去でき、旋転体は洗浄液の作用のもとで煙道を清掃でき、また汚水を吹き動かして煙道から排出でき、後部分の外周面にある拭き取り機構は煙道をより清潔になるようにさせることができ、清掃の過程は環境に優しくて高効率であり、人工清掃のステップを省き、装置全体の構成は連動し、デザインは簡単で便利である。
【００２６】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。